(57)【要約】【課題】手洗器と吐水部材の間をシールしつつ、高い意匠性を実現できる手洗装置を提供する。【解決手段】手洗装置は、鉢部を有する手洗器２０と、鉢部に吐水するための吐水口が形成され、手洗器２０に起立した状態で設けられる本体部４１と、本体部４１の基端側に設けられ、手洗器２０に形成される貫通孔３５に挿通される挿通軸部４３と、本体部４１と挿通軸部４３の間に形成される係止段部５７と、を有する吐水部材４０と、手洗器２０と係止段部５７の間に挟み込まれ、弾性を有するシール部材８０と、を備え、手洗器２０には、係止段部５７と対向する貫通孔３５の周縁部３７に凹部３９が設けられ、シール部材８０は、凹部３９内に配置される。【選択図】図４
2015190251.tif 000002
【特許請求の範囲】
【請求項１】
鉢部を有する手洗器と、
前記鉢部に吐水するための吐水口が形成され、前記手洗器に起立した状態で設けられる本体部と、前記本体部の基端側に設けられ、前記手洗器に形成される貫通孔に挿通される挿通軸部と、前記本体部と前記挿通軸部の間に形成される係止段部と、を有する吐水部材と、
前記手洗器と前記係止段部の間に挟み込まれ、弾性を有するシール部材と、を備え、
前記係止段部と対向する前記貫通孔の周縁部又は該係止段部の少なくとも一方には凹部が設けられ、
前記シール部材は、前記凹部内に配置されることを特徴とする手洗装置。
【請求項２】
前記シール部材は、弾性変形していない状態において、前記凹部の深さ寸法より大きい厚さ寸法を有し、その厚さ方向に弾性変形するように前記手洗器と前記係止段部の間に挟み込まれることを特徴とする請求項１に記載の手洗装置。
【請求項３】
前記吐水部材は、前記手洗器に設けられる座面に前記係止段部が着座した状態で固定されることを特徴とする請求項１または２に記載の手洗装置。
【請求項４】
前記シール部材は、前記挿通軸部の軸方向周りに延びるように環状に形成されることを特徴とする請求項３に記載の手洗装置。
【請求項５】
前記本体部は、前記シール部材を覆い隠すように設けられることを特徴とする請求項１から４のいずれかに記載の手洗装置。
【発明の詳細な説明】
【技術分野】
【０００１】
本発明は、トイレや洗面所等に設置される手洗装置に関する。
【背景技術】
【０００２】
従来より、トイレの室内空間を有効利用するため、洋風大便器とキャビネットを一体化したトイレユニットが提案されている。このユニットでは、大便器の後部にキャビネットが設置される。キャビネットには、物品の収納部の他に、ロータンクの収納部が設けられ、物品の収納空間を確保しつつすっきりとした外観が得られる。
【０００３】
キャビネットの上部には、トイレの利用後にユーザが手洗いできるように、手洗装置が設置される場合がある（特許文献１参照）。手洗装置は、鉢部を有する手洗器に貫通孔が形成され、吐水部材の一部が貫通孔に挿通された状態で固定される。吐水部材から吐き出された水は手洗器の排水口を通してロータンク内に落下し、手洗用の水を便器の洗浄水として再利用できる。
【先行技術文献】
【特許文献】
【０００４】
【特許文献１】特開２００６−０００４０２号公報
【発明の概要】
【発明が解決しようとする課題】
【０００５】
特許文献１に記載の構造では、手洗器が便器の後方に設置されるが、ユーザが手洗いするときに便器が邪魔となり、手洗器に手が届き難くなってしまう。このため、その設置位置を便器の斜め後方にずらす場合がある。この場合、ロータンクから離れた位置に手洗器が設置されるため、手洗器と吐水部材の間がシールされていないと、貫通孔を通してキャビネット内に漏水しかねない。
【０００６】
この対策として、パッキン等のシール部材の利用が考えられる。しかし、シール部材を利用すると、部品点数の増加により装置全体の外観に影響しうる。住宅設備等のユーザは設備の使い易さとともに洗練された意匠を求める傾向が強くなっており、その両者を実現できる構造が求められる。
【０００７】
本発明は、このような課題に鑑みてなされ、その目的は、手洗器と吐水部材の間をシールしつつ、高い意匠性を実現できる手洗装置を提供することにある。
【課題を解決するための手段】
【０００８】
上述の課題を解決するための本発明のある態様は、手洗装置に関する。手洗装置は、鉢部を有する手洗器と、鉢部に吐水するための吐水口が形成され、手洗器に起立した状態で設けられる本体部と、本体部の基端側に設けられ、手洗器に形成される貫通孔に挿通される挿通軸部と、本体部と挿通軸部の間に形成される係止段部と、を有する吐水部材と、手洗器と係止段部の間に挟み込まれ、弾性を有するシール部材と、を備え、係止段部と対向する貫通孔の周縁部又は係止段部の少なくとも一方には凹部が設けられ、シール部材は、凹部内に配置されることを特徴とする。
この態様によれば、手洗器の貫通孔と吐水部材の間をシール部材によりシールできる。また、シール部材が凹部内に配置されるため、手洗器の外観においてシール部材の露出が抑えられ、意匠性が良好となる。
【０００９】
また、前述の態様において、シール部材は、弾性変形していない状態において、凹部の深さ寸法より大きい厚さ寸法を有し、その厚さ方向に弾性変形するように手洗器と係止段部の間に挟み込まれてもよい。
この態様によれば、手洗器に吐水部材を取り付けたとき、手洗器と係止段部の間でシール部材を確実に潰し易くなる。
【００１０】
また、前述の態様において、吐水部材は、手洗器に設けられる座面に段部が着座した状態で固定されてもよい。
この態様によれば、シール部材の潰れ量が過度に大きくならないため、その弾性反発力による吐水部材の位置ずれが抑えられ、組み立て時の作業性が良好となる。
また、この態様において、シール部材は、挿通軸部の軸方向周りに延びるように環状に形成されてもよい。
この態様によれば、シール部材の周方向での潰れ量が過度に大きくならないため、その弾性反発力による座面に対する本体部の傾きを抑えられ、本体部と座面の間で周方向の一部に大きい隙間ができにくくなる。
【００１１】
また、前述の態様において、本体部は、シール部材を覆い隠すように設けられてもよい。
この態様によれば、手洗器の外観においてシール部材の露出がより抑えられ、意匠性がより良好となる。
【発明の効果】
【００１２】
本発明によれば、手洗器と吐水部材の間をシールしつつ、高い意匠性を実現できる。
【図面の簡単な説明】
【００１３】
【図１】第１実施形態に係る手洗装置が用いられるトイレユニットを示す斜視図である。
【図２】第１実施形態に係るキャビネットに設置される手洗装置を示す側面断面図である。
【図３】図２のＡ−Ａ線断面図である。
【図４】図２のＢ部の拡大図である。
【図５】手洗器から吐水部材を取り外したときの凹部とシール部材を示す側面断面図である。
【図６】第２実施形態に係る手洗装置を示す拡大側面断面図である。
【発明を実施するための形態】
【００１４】
［第１の実施の形態］
図１は第１実施形態に係る手洗装置１０が用いられるトイレユニット１００を示す斜視図である。トイレユニット１００は、キャビネット１１０と、便器１２０と、手洗装置１０を備える。
【００１５】
キャビネット１１０には、洗浄水タンク１３０が収容されるタンク収納部（図示せず）が設けられ、タンク収納部の前方には前板１１１が設けられる。前板１１１の前方には便器１２０が設置される。前板１１１の左右方向Ｘの両側には側板１１３が開閉可能に設けられ、側板１１３の奥側には物品収納部（図示せず）が設けられる。キャビネット１１０の上部にはカウンター１１５が設置され、カウンター１１５の左右方向Ｘの一端側には手洗装置１０が設置される。
【００１６】
図２はキャビネット１１０に設置される手洗装置１０の側面断面図を示す。図２では図１の左右方向Ｘに沿った方向から見た断面図を示す。手洗装置１０は、手洗器２０と、吐水部材４０と、固定具７０と、シール部材８０を備える。
【００１７】
手洗器２０は、鉢部２１と、周壁部２９を備える。手洗器２０は、樹脂材料を素材として各部位が一体成形されるが、セラミックス等を素材としてもよい。鉢部２１は、吐水部材４０から吐き出される水を受ける鉢面２３を上面に有する。鉢部２１の底部には排水口２５が形成され、鉢面２３は排水口２５に向けて下向きに傾斜して設けられる。鉢部２１の底部には下方に突出する排水筒部２７が設けられ、排水筒部２７には排水管１３１の一端部が接続される。排水管１３１は可撓性を有し、その他端部（図示せず）が洗浄水タンク１３０内に配置される。排水筒部２７と排水管１３１の内側には排水路１３２が形成され、鉢面２３で受けた水が排水路１３２を通して洗浄水タンク１３０に排水される。
【００１８】
周壁部２９は、鉢部２１の上端縁部２１ａから下方に延びて形成され、鉢部２１を側方から取り囲むように設けられる。手洗器２０の背面側の周壁部２９には固定具７０を出し入れするための切欠孔３０が形成される。
【００１９】
手洗器２０には、吐水部材４０の係止段部５７（後述する）が着座すべき座面３１が設けられる。座面３１は、鉢面２３の一部として設けられ、水平面に対して傾斜して形成される。手洗器２０には、座面３１と反対側の裏面から下方に突き出る筒状の突設部３３が設けられ、座面３１とともに突設部３３を貫通する貫通孔３５が形成される。
【００２０】
吐水部材４０は、本体部４１と、挿通軸部４３を有する。本体部４１は、樹脂、金属等を素材とする管体により構成され、手洗器２０の座面３１に起立した状態で設けられる。挿通軸部４３は、筒状に形成され、本体部４１の基端側に設けられる。挿通軸部４３は、手洗器２０の貫通孔３５に挿通され、その先端側が手洗器２０の裏面２４側に突き出る。
【００２１】
本体部４１の先端部には鉢面２３に臨む吐水口４７が形成される。本体部４１と挿通軸部４３の内側には流入路４５が形成される。挿通軸部４３の先端部には導水管１３３の一端部が接続される。導水管１３３は可撓性を有し、その他端部（図示せず）が給水装置としてのボールタップに接続される。導水管１３３の内側には導水路が形成され、吐水部材４０の流入路と導水管１３３の導水路により給水路１３４が形成される。吐水口４７には給水装置から給水路１３４を通して水が供給され、鉢部２１の鉢面２３に向けて吐水される。なお、ボールタップは、洗浄水タンク１３０内に設けられ、洗浄水タンク１３０内の水位に連動して給水の有無が切り替えられる。
【００２２】
図３は図２のＡ−Ａ線断面図である。挿通軸部４３は、その軸方向の一部において被装着部４９が設けられる。被装着部４９には、その基端側と先端側に径方向外側に張り出す基端側段部５０と先端側段部５１が設けられる。
【００２３】
固定具７０は、手洗器２０に吐水部材４０を固定するクリップである。固定具７０は、基部７１と、基部７１から延びる一対の差込部７３を備える。差込部７３は、被装着部４９の各段部５０、５１の間に差し込まれる。吐水部材４０の挿通軸部４３が貫通孔３５から抜けようとしたとき、基部７１や差込部７３が、先端側段部５１と突設部３３の裏面３３ａに係合することにより抜け止めされる。
【００２４】
図４は図２のＢ部の拡大図である。挿通軸部４３は、その基端側に径方向外側に張り出すつば部５３が設けられ、つば部５３の外周部には上方に突き出る筒状の嵌合部５５が設けられる。挿通軸部４３は、本体部４１の基端部内に嵌合部５５を嵌め合わせた状態で一体化される。
【００２５】
吐水部材４０は、つば部５３の軸方向端面５３ａと、本体部４１の軸方向端面４１ａとが面一となるように設けられる。吐水部材４０には、これら端面５３ａ、４１ａにより、本体部４１と挿通軸部４３の間に係止段部５７が形成される。吐水部材４０は、係止段部５７が座面３１に着座した状態で固定具７０により固定される。
【００２６】
手洗器２０には、吐水部材４０の係止段部５７と対向する貫通孔３５の周縁部３７において、座面３１より窪む凹部３９が設けられる。凹部３９は、環状の凹底面３９ａと、筒状の凹側面３９ｂとを含む。凹底面３９ａは、凹部３９の底部に設けられ、座面３１と略平行に形成される。凹側面３９ｂは、吐水部材４０の挿通軸部４３の軸方向に沿って形成される。
【００２７】
シール部材８０は、パッキンであり、ゴム等の弾性を有する素材により構成される。シール部材８０は、挿通軸部４３の軸方向周りに延びるように環状に形成される。シール部材８０は、吐水部材４０の係止段部５７と、手洗器２０の凹部３９との間に挟み込まれ、手洗器２０の貫通孔３５と吐水部材４０の間での漏水が規制される。
【００２８】
シール部材８０は、その全体が凹部３９内に配置される。吐水部材４０の本体部４１は、手洗器２０の表面側から本体部４１の基端部を見たときに、シール部材８０を覆い隠すように設けられる。
【００２９】
図５は、手洗器２０から吐水部材４０を取り外したときの凹部３９とシール部材８０を示す側面断面図である。凹部３９は、その深さ寸法としてＬ１［ｍｍ］を有する。ここでの深さ寸法とは、座面３１と接する仮想平面Ｐから凹底面３９ａまでの、仮想平面Ｐの法線方向での寸法をいう。なお、図５では仮想平面Ｐと凹部３９の開口縁が重なっている。
【００３０】
シール部材８０は、弾性変形していない状態において、その厚さ寸法としてＬ２［ｍｍ］を有する。シール部材８０の厚さ寸法Ｌ２は、凹部３９の深さ寸法Ｌ１より大きくなるように定められる。
【００３１】
シール部材８０は、図４に示すように、その厚さ方向に弾性変形するように、手洗器２０の凹部３９と吐水部材４０の係止段部５７との間に挟み込まれる。このとき、シール部材８０は、その周方向全周に亘る部位が弾性変形し、その径方向側面８１が凹部の凹側面３９ｂに全周に亘り密着するように接触する。
【００３２】
次に、手洗器２０に吐水部材４０を取り付ける方法を説明する。まず、シール部材８０の貫通孔８３に吐水部材４０の挿通軸部４３を挿通させる。シール部材８０は吐水部材４０の係止段部５７に係合するまで移動させる。
【００３３】
吐水部材４０の挿通軸部４３を手洗器２０の座面３１側から貫通孔３５に挿入する。吐水部材４０は、その係止段部５７が手洗器２０の座面３１に着座するまで移動させる。これにより、手洗器２０の裏面側に貫通孔３５から挿通軸部４３が突き出る。
【００３４】
このとき、挿通軸部４３の挿入方向に沿ってシール部材８０が移動する。ここで、凹部３９の凹側面３９ｂが座面３１に対して垂直に設けられていると、その挿入方向に沿って移動するシール部材８０に、凹部３９の高位置にある開口縁３９ｃ（図５参照）が引っかかってしまう。この点、本実施形態では、凹部３９の凹側面３９ｂが挿通軸部４３の軸方向に沿って形成されるため、凹部３９の開口縁３９ｃに対するシール部材８０の引っかかりを抑えられる。よって、凹部３９の底側までシール部材８０を安定して移動でき、手洗装置１０の組み立て時の作業性が良好となる。
【００３５】
この後、吐水部材４０の基端側段部５０と先端側段部５１の間に固定具７０の差込部７３を差し込み、手洗器２０に吐水部材４０を固定する。
【００３６】
以上の実施形態に係る手洗装置１０によれば、手洗器２０の貫通孔３５と吐水部材４０の間をシール部材８０によりシールできる。特に、シール部材８０は、その径方向側面８１が凹部３９の凹側面３９ｂに接触するため、凹部３９内に配置しない場合よりもシールに寄与する表面積が増大し、シール性が良好となる。また、シール部材８０が凹部３９内に配置されるため、手洗器２０の外観においてシール部材８０の露出が抑えられ、意匠性が良好となる。
【００３７】
また、シール部材８０の厚さ寸法Ｌ２は、凹部３９の深さ寸法Ｌ１より大きい。よって、手洗器２０に吐水部材４０を取り付けたとき、手洗器２０と係止段部５７の間でシール部材８０を確実に潰し易くなる。
【００３８】
また、吐水部材４０は係止段部５７が座面３１に着座した状態で固定されるため、シール部材８０の潰れ量が過度に大きくならない。かりに、凹部３９がない場合、手洗器２０の座面３１と吐水部材４０の係止段部５７の間にシール部材８０が挟み込まれたとき、その潰れ量の調整が困難になる。この潰れ量が過度に大きい場合、シール部材８０による弾性反発力が大きくなる。よって、固定具７０により吐水部材４０を手洗器２０に固定しようとしたとき、シール部材８０の弾性反発力により貫通孔３５から抜け出る方向Ｐ１（図４参照）に吐水部材４０が位置ずれし易くなり、固定具７０を取り付けにくくなる。この点、本実施形態によれば、シール部材８０の潰れ量が過度に大きくならないため、その弾性反発力による吐水部材４０の位置ずれが抑えられ、手洗装置１０の組み立て時の作業性が良好となる。
【００３９】
また、吐水部材４０は係止段部５７が座面３１に着座した状態で固定されるうえ、シール部材８０が環状に形成されるため、シール部材８０の周方向での潰れ量を過度に大きくせずに均等に調整できる。この潰れ量が周方向で均等でない場合、シール部材８０の弾性反発力により吐水部材４０の本体部４１が手洗器２０の座面３１に対して傾き易くなる。この点、本実施形態によれば、シール部材８０の弾性反発力による本体部４１の傾きを抑えられ、本体部４１と座面３１の間で周方向の一部に大きい隙間ができ難くなり、外観品位が良好となる。
【００４０】
また、吐水部材４０の本体部４１は、シール部材８０を覆い隠すように設けられるため、手洗器２０の外観においてシール部材８０の露出がより抑えられ、意匠性がより良好になる。
【００４１】
［第２の実施の形態］
図６は第２実施形態に係る手洗装置１０を示す拡大側面断面図である。なお、以下の実施の形態では、第１の実施の形態で説明した要素と同一の要素に同一の符号を付し、重複する説明を省略する。
【００４２】
シール部材８０が配置される凹部３９は、手洗器２０ではなく吐水部材４０の係止段部５７に設けられる。凹部３９は、係止段部５７を構成するつば部５３の軸方向端面５３ａより窪んで設けられる。凹部３９は、第１実施形態と同様に、凹底面３９ａと凹側面３９ｂを含む。凹底面３９ａは、つば部５３の軸方向端面５３ａと略平行に形成される。凹側面３９ｂは、手洗器２０の座面３１と略直交するように形成される。
【００４３】
シール部材８０は、第１実施形態と同様に、その厚さ方向に弾性変形するように、吐水部材４０の係止段部５７の凹部３９と、手洗器２０の座面３１との間に挟み込まれる。シール部材８０は、その全体が凹部３９内に配置される。吐水部材４０の本体部４１は、手洗器２０の表面側から本体部４１の基端部を見たときに、シール部材８０を覆い隠すように設けられる。
【００４４】
本実施形態に係る手洗装置１０によれば、第１実施形態に係る手洗装置１０と同様の作用効果が得られる。
【００４５】
以上、実施の形態に基づき本発明を説明したが、実施の形態は、本発明の原理、応用を示すにすぎない。また、実施の形態には、請求の範囲に規定された本発明の思想を逸脱しない範囲において、多くの変形例や配置の変更が可能である。
【００４６】
手洗装置１０は、トイレユニット１００のキャビネット１１０の上部に設置される例を説明したが、その用途はこれに限られず、洗浄水タンク１３０の蓋として用いられてもよい。また、手洗装置１０は、トイレユニット１００の他に、洗面台等に用いられてもよい。
【００４７】
手洗器２０、吐水部材４０は、それらの形状について特に限られず、公知の形状に形成されてもよい。手洗器２０の座面３１は、鉢面２３の一部として設けられたが、鉢面２３とは異なる位置に設けられてもよい。座面３１は、水平面に対して傾斜して設けられたが、水平面と平行に設けられてもよい。
【００４８】
吐水部材４０は、本体部４１と挿通軸部４３が別体の部材により構成された例を説明したが、これらが一体の単一の部材により構成されてもよい。また、吐水部材４０は、その係止段部５７が座面３１に着座した例を説明したが、係止段部５７が座面３１に着座せずにシール部材８０に載置された状態で固定されてもよい。この場合、シール部材８０の厚さ寸法Ｌ２が凹部３９の深さ寸法Ｌ１より大きくなくともよい。この場合でも、手洗器２０の外観においてシール部材８０の露出が抑えられる。
【００４９】
固定具７０は、クリップを例に説明したが、手洗器２０に吐水部材４０を固定できればよく、ナット等により構成されてもよい。固定具７０がナットにより構成される場合、手洗器２０の貫通孔３５から裏面側に突き出る挿通軸部４３に雌ねじ部を設け、雌ねじ部にナットを螺合して、手洗器２０に吐水部材４０が固定される。
【００５０】
凹部３９は、手洗器２０の貫通孔３５の周縁部３７と、吐水部材４０の係止段部５７の少なくとも何れか一方に形成されていればよく、これらの両方に形成されていてもよい。
【００５１】
シール部材８０は、環状に形成されなくともよく、周方向の一部を切り欠いたＣ字状等に形成されてもよく、その形状は特に限られない。
【符号の説明】
【００５２】
１０・・・手洗装置、２０・・・手洗器、２１・・・鉢部、３１・・・座面、３５・・・貫通孔、３７・・・周縁部、３９・・・凹部、４０・・・吐水部材、４１・・・本体部、４３・・・挿通軸部、４７・・・吐水口、５７・・・段部、８０・・・シール部材。
【図１】
2015190251.tif 000003
【図２】
2015190251.tif 000004
【図３】
2015190251.tif 000005
【図４】
2015190251.tif 000006
【図５】
2015190251.tif 000007
【図６】
2015190251.tif 000008